(57)【要約】      （修正有）【課題】使用者の肌を極力傷めることなく、効果的かつ簡易に骨気法使用者自身で行うことができる指圧代用器ローラーを提供する。【解決手段】使用者が把持し、また使用部位の骨格等による様々な角度にも柔軟に対応するための椀形状ハンドル部１と、椀形状ハンドル部１の下面側に設けられた４本の回転軸部２と、各回転軸部２に取り付けられると共に、回転軸部２の軸方向を中心に回転自在で肌を余計に摘みあげぬよう涙形状でなく球形状に設計された押圧用の４つの球形状ローラー部３と、を備え、各球形状ローラー部３は、各ローラー部３の回転中心を結ぶ仮想線が、椀形状ハンドル部１の下面側から見て、正方形に形成されるように、配置されている。【選択図】図１
0003200019.tif 000002
【実用新案登録請求の範囲】
【請求項１】
使用者が把持するための椀形状ハンドル部と、
前記ハンドル部の下面側に設けられた４本の回転軸部と、
前記各回転軸部に取り付けられると共に、前記回転軸部の軸方向を中心に回転自在な４つの球形状ローラー部とを備え、
前記各ローラー部は、前記各ローラー部の回転中心を結ぶ仮想線が、前記ハンドル部の下面側から見て、正方形に形成されるように、配置されている
ことを特徴とする指圧代用器ローラー。
【請求項２】
前記ハンドル部は、前記ハンドル部の上面側に向けて突出する椀形状となっている
ことを特徴とする請求項１に記載の美容ローラー。
【請求項３】
女性の手で握りやすくかつ、骨気法を行いやすいよう、前記椀形状ハンドル部の直径が４５〜６５ｍｍ、高さが３５〜５５ｍｍであることを特徴とする請求項２に記載の指圧代用器ローラー。
【請求項４】
互いに隣接する一対の前記回転軸部は、前記本体部の側面側から見て、前記本体部の上面側から下面側に向けて広がるように配置されている
ことを特徴とする請求項１〜３のいずれかに記載の指圧代用器ローラー。
【請求項５】
前記各ローラー部の直径が、２０〜３０ｍｍの球形状である
ことを特徴とする請求項１〜４のいずれかに記載の指圧代用器ローラー。
【請求項６】
互いに隣接する前記各ローラー部の間隔が、全て７〜１０ｍｍの同一間隔である
ことを特徴とする請求項１〜５のいずれかに記載の指圧代用器ローラー。
【考案の詳細な説明】
【技術分野】
【０００１】
本考案は、いわゆる骨気（コルギ）法という美容健康法を実行するための指圧代用器ローラーに関する。
【背景技術】
【０００２】
いわゆる骨気（コルギ）法とは、約４０年前に韓国で発祥した美容健康法である。骨気法は、施術者の手指の骨を用いて被施術者の骨と周辺筋肉等とを同時に弛緩させることで、血液の循環を円滑にするものであって、その効果や即効性及び持続性などから韓国を中心に日本でも人気の美容健康法である。骨気法は全身に行うが、中でも顔における施術が中心であり、顔の骨格と周辺筋肉への施術を中心としている。
【０００３】
骨気法は、第三者又は自身の手指の骨を使って、骨と筋肉とを押圧することで同時に弛緩させる。施術者は手指の骨を使って施術を行うため、熟練の施術者を除いては短時間で手指の疲れや痛みを覚えたり、一般の者が自身の手指の骨で骨気法を実行する場合には早々に手指が痛くなったり疲れてしまい、効果的かつ一定時間以上の骨気施術、つまり手指の骨を用いての骨と周辺筋肉等への押圧マッサージを行うことが困難であった。
【０００４】
そこで、美容ローラー等を使うことで、自身で骨気法を実行することが考えられる。しかし、従来の美容ローラーは、骨気法で行われる骨と周辺筋肉等への押圧ケアを目的として設計されておらず、また顔への使用には適さない大きさのものもあるため、骨気法を効果的に実行できなかった。
【０００５】
特許文献１に、従来の美容ローラーが開示されている。この美容ローラーは、人体の骨に沿って移動させることは想定されていない。即ち、４つのローラー部が、長方形状に配置されているので、縦方向と横方向には動かしやすいが円方向には動かし難く、また、大きさの面から見てもローラー部を人体（特に顔）の骨に当てることが極めて難しい。また、ローラーが涙型をしており、皮膚をつまみ上げる機能が著しく角度がつき過ぎているため、骨に当たりにくく骨と筋肉への押圧効果が低い、
【０００６】
また、一般的に、日本人の肌は非常にデリケートなので、美容ローラーを使って骨気法を実行する際に、日本人の肌の特性を考慮する必要がある。しかし、従来の美容ローラーは、骨気法で使用されることは考慮されていないため、使用者の肌を傷めるおそれがあった。特に、肌を引っ張りあげる作用が強すぎる事により皮膚や皮下組織への影響が大きい。
【先行技術文献】
【特許文献】
【０００７】
【特許文献１】特開２０１４−１６８６４２号公報
【考案の概要】
【考案が解決しようとする課題】
【０００８】
そこで、本考案が解決しようとする課題は、上記した事情に鑑みて、使用者の肌を極力傷めることなく、骨気法の効果を最大限に発揮できる指圧代用器ローラーに関する。
【課題を解決するための手段】
【０００９】
上記課題を解決するために、本考案に係る指圧代用器ローラーは、
使用者が把持するための椀型状のハンドル部と、
ハンドル部の下面側に設けられた４本の回転軸部と、
各回転軸部に取り付けられると共に、回転軸部の軸方向を中心に回転自在な４つの球形状ローラー部と、を備え、各球形状ローラー部は、各球形状ローラー部の回転中心を結ぶ仮想線が、ハンドル部の下面側から見て、正方形に形成されるように、配置されている。
【００１０】
好ましくは、
ハンドル部は、ハンドル部の上面側に向けて突出する椀形状となっている。手の平と椀形状が接触する高さが最適で、手の平で角度が変えられる、指がかかり易い形状である。
【００１１】
好ましくは、
ハンドル部の直径が、４５〜６５ｍｍである
【００１２】
好ましくは、
互いに隣接する一対の回転軸部は、本体部の側面側から見て、本体部の上面側から下面側に向けて広がるように配置されている。
【００１３】
好ましくは、
各球形状ローラー部の直径が、２０〜３０ｍｍである。
【００１４】
好ましくは、
互いに隣接する各ローラー部の間隔が、７〜１０ｍｍで全て正方形を形成する。
これは骨気施術を行うに際して骨と周辺筋肉等に押圧効果を与えるための間隔である。
【考案の効果】
【００１５】
本考案に係る指圧代用器ローラーは、使用者の肌を極力傷めることなく、骨気法の効果を最大限に発揮できるよう設計される。従って、この指圧代用ローラーは、骨気法を家庭でも簡単かつ効果的に実行できると共に、血行の促進、コリの緩和、疲労の軽減などマッサージを効果的に行うことができる。
【００１６】
その結果、使用者は、この指圧代用器ローラーを使用することで、骨気施術に近い顔の血行促進ケアを効果的に行うことができる。また、この指圧代用器ローラーは、使用者の顔だけでなく身体にも使用することができ全身の血行促進とコリの緩和や疲労軽減、骨気施術における押圧ケアを行うことができる。
【００１７】
各球形状ローラー部が正方形状に配置されているので、縦方向及び横方向だけでなく円方向に動かしやすく、人体（特に顔）の骨に沿って動かしやすく構成されている。そして、椀形状ハンドル部は、椀形状ハンドル部の上面側に向けて突出する椀形状となっており、椀形状ハンドル部の直径が、４５〜６５ｍｍであるので、使用者の手のひらに収まるので、角度を自在に変えて球形状ローラー部を肌に当てて回転させることができる。
【００１８】
さらに、各球形状ローラー部の直径が、２０〜３０ｍｍであり、互いに隣接する各ローラー部の間隔が、７〜１０ｍｍであるので、各ローラー部の間に骨が嵌り込み、骨に沿って筋肉及び皮下組織等を押圧しながら連続して縦横自在に動かしやすいように構成されている。
【図面の簡単な説明】
【００１９】
【図１】指圧代用ローラーを示す斜視図。
【図２】指圧代用ローラーを示す側面図。
【図３】指圧代用ローラーを示す底面図。
【図４】指圧代用ローラーの使用状態を示す説明図。
【考案を実施するための形態】
【００２０】
以下、図面に基づいて、本考案に係る指圧代用ローラーについて説明する。
【００２１】
図１〜図３の通り、指圧代用ローラーは、使用者が手で把持するためのハンドル部１を備える。また、指圧代用ローラーは、ハンドル部１の下面１ａ側に設けられた４本の回転軸部２を備える。
【００２２】
そして、指圧代用ローラーは、各回転軸部２に取り付けられると共に、回転軸部２の軸方向２ａを中心に回転自在な４つの球形状ローラー部３を備える。
【００２３】
図２の通り、椀形状ハンドル部１は、球形状ハンドル部１の上面１ｂ側に向けて突出する椀形状となっている。
【００２４】
図３の通り、椀形状ハンドル部１は、下面１ａ側から見て、円形に構成されている。本実施形態では、ハンドル部１の直径Ｄは、４５〜６５ｍｍである。また、図２の通り、ハンドル部１の高さＨは、３５〜５５ｍｍである。
【００２５】
椀形状ハンドル部１の直径Ｄは、一般的な日本人女性の手よりも小さくなっているので、使用者が確実に手で握ることができると共に、手の力を各球形状ローラー部３に均等に伝えることができる。
【００２６】
図３の通り、各球形状ローラー部３は、各球形状ローラー部３の回転中心３ａを結ぶ仮想線３０が、椀形状ハンドル部１の下面１ａ側から見て、正方形に形成されるように、配置されている。
【００２７】
図２の通り、互いに隣接する一対の回転軸部２は、本体部１の側面側から見て、本体部１の上面１ｂ側から下面１ａ側に向けて広がるように配置されている。本実施形態では、互いに隣接する一対の回転軸部２の軸方向２ａの間の角度θは、４５〜６０°である。
【００２８】
図２の通り、各球形状ローラー部３の直径φが、２０〜３０ｍｍである。さらに、互いに隣接する各球形状ローラー部３の間隔Ｌが、７〜１０ｍｍである。これによって、各球形状ローラー部３の間に骨が嵌り込み、骨に沿って移動しやすいように構成されている。
【００２９】
使用者は、本体部１を手で握り、球形状ローラー部３を使用者の肌の上から骨と周辺筋肉等に押し当てる。そして、使用者は、隣接する球形状ローラー部３の間の位置が使用者の骨に沿って移動するように動かす。
【００３０】
その結果、骨に沿って周辺の筋肉及び皮下組織が球形状ローラーの指圧玉に押圧され、使用者の骨と筋肉とを同時に弛緩させることができるので、指圧の代用効果である血行の促進、コリの緩和、疲労の軽減のためのマッサージを効果的に行うことができる。
【００３１】
図３の通り、各球形状ローラー部３が正方形に配置されているので、図４の通り、途中で角度を変えたり、往復したり、連続的に使用者の骨及び周辺筋肉等を効果的に押圧しながら流すことができる。
【００３２】
さらに、各球形状ローラー部３が正方形状に配置されているので、縦方向及び横方向だけでなく円方向に動かしやすく、人体、特に顔の骨に沿って動かしやすく構成されている。
【００３３】
その結果、使用者は、この指圧代用器ローラーを使用することで骨気施術における押圧施術を自身の手指で行うのに比べてより簡単に、より長時間、効果的に行うことができる。またハンドルが椀形状であることにより、手指と押圧している顔の骨格の様々な角度の変化にも対応し、連続したスムーズな動きを生み出す。
【００３４】
また、この指圧代用器ローラーは、使用者の顔だけでなく身体にも使用することができる。その際も、皮膚を引っ張りあげるのではなく、骨と周辺筋肉等への押圧を目的とし、全身の疲労回復やコリの緩和、血行の促進を行うことができる。またハンドルが椀形状であることにより、手指と押圧している身体の骨格の様々な角度の変化にも対応し、連続したスムーズな動きを生み出すことができる。
【符号の説明】
【００３５】
１  椀形状ハンドル部
１ａ  椀形状ハンドル部の下面
１ｂ  椀形状ハンドル部の上面
２  回転軸部
３  球形状ローラー部
３ａ  球形状ローラー部の回転中心
３０  各球形状ローラー部の回転中心を結ぶ仮想船
【図１】
0003200019.tif 000003
【図２】
0003200019.tif 000004
【図３】
0003200019.tif 000005
【図４】
0003200019.tif 000006
【手続補正書】
【提出日】平成27年7月15日(2015.7.15)
【手続補正１】
【補正対象書類名】実用新案登録請求の範囲
【補正対象項目名】請求項２
【補正方法】変更
【補正の内容】
【請求項２】
前記ハンドル部は、前記ハンドル部の上面側に向けて突出する椀形状となっている
ことを特徴とする請求項１に記載の指圧代用器ローラー。
【手続補正２】
【補正対象書類名】実用新案登録請求の範囲
【補正対象項目名】請求項４
【補正方法】変更
【補正の内容】
【請求項４】
互いに隣接する一対の前記回転軸部は、前記ハンドル部の側面側から見て、前記ハンドル部の上面側から下面側に向けて広がるように配置されている
ことを特徴とする請求項１〜３のいずれかに記載の指圧代用器ローラー。
【手続補正３】
【補正対象書類名】明細書
【補正対象項目名】００１２
【補正方法】変更
【補正の内容】
【００１２】
好ましくは、
互いに隣接する一対の回転軸部は、ハンドル部の側面側から見て、ハンドル部の上面側から下面側に向けて広がるように配置されている。
【手続補正４】
【補正対象書類名】明細書
【補正対象項目名】００２７
【補正方法】変更
【補正の内容】
【００２７】
図２の通り、互いに隣接する一対の回転軸部２は、ハンドル部１の側面側から見て、ハンドル部１の上面１ｂ側から下面１ａ側に向けて広がるように配置されている。本実施形態では、互いに隣接する一対の回転軸部２の軸方向２ａの間の角度θは、４５〜６０°である。
【手続補正５】
【補正対象書類名】明細書
【補正対象項目名】００２９
【補正方法】変更
【補正の内容】
【００２９】
使用者は、ハンドル部１を手で握り、球形状ローラー部３を使用者の肌の上から骨と周辺筋肉等に押し当てる。そして、使用者は、隣接する球形状ローラー部３の間の位置が使用者の骨に沿って移動するように動かす。